(57)【要約】      （修正有）【課題】捕虫器を屋外に設置した場合にも、モーターや安定器が水に濡れて故障したり漏電したりする恐れがなく、また一方で、モーター自体が過熱によって故障する恐れがなく、さらに安定器を本体に安定して保持固定させることのできる捕虫器を提供する。【解決手段】縦型筒状の本体１と、本体１の内部に固定された誘引光源２１と、本体１の内部に固定された吸引手段と、前記本体１の下端側に固定された捕獲網を具備する。吸引手段は、複数の保持アーム２２ａを張設して本体１に固定される安定器カバー２２と、安定器カバー２２の下部に取り付けられたモーターカバー４３と、モーターカバー４３内のモーターから鉛直下方へ突出した回転軸４２の先部の回転羽根４１から構成され、モーターカバー４３の側面にモーター冷却用の側部孔４３１ｈが設けられ、安定器カバー２２の下側かつ側部孔４３１ｈの上方位置にガード板４７が取り付けられる。【選択図】図３
2012010653.tif 000002
【特許請求の範囲】
【請求項１】
誘引した捕獲対象の虫を吸引して捕獲する捕虫器であって、
捕獲対象虫を内部へ吸引するための吸引口（具体的には端部吸引口１ｈ及び側部吸引口３１ｈ）を上端側に設けた縦型筒状の本体１と、
前記本体１の上端の内部に固定され、吸引口を通して本体１外部へ誘引光を発することで捕獲対象の虫を吸引口付近へ誘引する誘引光源２１と、
本体１の内部に固定され、誘引光源２１によって吸引口付近の吸引領域に誘引されてきた捕獲対象虫を本体１の下端側へ吸引する吸引手段４と、
前記本体１の下端側の先部に固定され、捕獲対象虫を捕獲する捕獲網５とを具備してなる。そして、
吸引手段が、側周に複数の保持アーム２２ａを張設して本体１内面に支持固定される柱状の安定器カバー２２と、
安定器カバー２２の下部に取り付けられると共に内部にモーターを有する柱状のモーターカバー４３と、
モーターから鉛直下方へ突出した回転軸４２の先部に取り付けられた回転羽根４１とから構成され、
モーターカバー４３の側面にモーター冷却用の側部孔４３１ｈが設けられると共に、
安定器カバー２２の下側かつ側部孔４３１ｈの上方位置に、傾斜板からなるガード板４７が取り付けられたことを特徴とする捕虫器。
【請求項２】
ガード板４７は、側部孔４３１ｈと離間して側部孔４３１ｈの形成面視にて側部孔４３１ｈ全体を覆う大きさで形成され、上部が安定器カバー２２の下面の取り付け位置に取り付けられると共に、前記取り付け位置よりも斜め下外方へずれた位置に下端を有してなり、当該下端は回転羽根４１の周端よりも内側に配置される請求項１記載の捕虫器。
【請求項３】
安定器カバー２２は、円形板の周囲下方に向かって拡径した円錐面縁２２ｅを有する底板２２ｂの上に、天板付の円筒蓋２２ｔが被せて取り付けられたものであり、
底板２２ｂの円錐面縁２２ｅから板状の保持アーム２２ａが放射状に複数本延設され、その先端の折曲片２２ｃが本体１の内面と当接して固定される請求項１又は２記載の捕虫器。
【請求項４】
保持アーム２２ａは円錐面縁２２ｅの外周端から直線方向へ一体的に延伸したものであり、この延伸方向に沿って、保持アーム２２ａから円錐面縁２２ｅまでの上面又は下面を亘って凸条または凹条からなるリブが伸長形成される請求項１，２又は３記載の捕虫器。
【請求項５】
円筒蓋２２ｔは、円筒部の下端に、保持アーム２２ａと同じ延伸位置及び延伸方向に延伸した複数のアームカバー４４を有してなり、各アームカバー４４が各保持アーム２２ａの上面に重なって固定されることで、円筒蓋２２ｔが底板２２ｂ上に取り付けられる請求項１，２，３又は４のいずれか記載の捕虫器。
【発明の詳細な説明】
【技術分野】
【０００１】
本発明は、主に屋外に設置して、羽アブラムシ、コナジラミ、ヤガ、アザミウマ、ハエなどの飛翔性の小虫を捕らえる捕虫器に関する。
【背景技術】
【０００２】
従来、昆虫に対して誘引させる光を発生する光源と、この光源によって誘引されてきた昆虫を反射し滑落させる反射板と、該反射板の下方に設けた昆虫殺傷捕獲手段とを具備する防虫器が開示されている（例えば、特許文献１参照）。ただし、この反射板は、忌避光を周囲に反射すると共に吸引されてきた昆虫を下方の昆虫殺傷捕獲手段へ滑落させるように傾斜させている。
【先行技術文献】
【特許文献】
【０００３】
【特許文献１】特開２００５−２２９９９７号公報
【発明の開示】
【発明が解決しようとする課題】
【０００４】
しかし上記従来の捕虫器では、モーターを備えた誘引ファンや安定器を備えた光源が外部に露出しており、捕虫器を屋外に設置すると、これらモーターや安定器が水に濡れて故障したり漏電したりする恐れがあった。また一方で、モーター自体、過熱によって故障する恐れがあるため、モーターや安定器を完全密閉して覆うことは好ましくない。
【０００５】
さらに、安定器は重量がかさむため本体に安定して保持固定することが困難であった。
【０００６】
そこで本発明は、捕虫器を屋外に設置した場合にも、モーターや安定器が水に濡れて故障したり漏電したりする恐れがなく、また一方で、モーター自体が過熱によって故障する恐れがなく、さらに安定器を本体に安定して保持固定させることのできる捕虫器を提供することを課題とする。
【課題を解決するための手段】
【０００７】
上記課題を解決すべく、本発明では下記（１）〜（６）の手段を講じている。
（１）本発明の捕虫器は、誘引した捕獲対象の虫を吸引して捕獲する捕虫器であって、
捕獲対象虫を内部へ吸引するための吸引口（具体的には端部吸引口１ｈ及び側部吸引口３１ｈ）を上端側に設けた縦型筒状の本体１と、
前記本体１の上端の内部に固定され、吸引口を通して本体１外部へ誘引光を発することで捕獲対象の虫を吸引口付近へ誘引する誘引光源２１と、
本体１の内部に固定され、誘引光源２１によって吸引口付近の吸引領域に誘引されてきた捕獲対象虫を本体１の下端側へ吸引する吸引手段４と、
前記本体１の下端側の先部に固定され、捕獲対象虫を捕獲する捕獲網５とを具備してなる。そして、
吸引手段が、側周に複数の保持アーム２２ａを張設して本体１内面に支持固定される柱状の安定器カバー２２と、
安定器カバー２２の下部に取り付けられると共に内部にモーターを有する柱状のモーターカバー４３と、
モーターから鉛直下方へ突出した回転軸４２の先部に取り付けられた回転羽根４１とから構成され、
モーターカバー４３の側面にモーター冷却用の側部孔４３１ｈが設けられると共に、
安定器カバー２２の下側かつ側部孔４３１ｈの上方位置に、傾斜板からなるガード板４７が取り付けられたことを特徴とする。
【０００８】
（２）上記記載の捕虫器において、ガード板４７は、側部孔４３１ｈと離間して側部孔４３１ｈの形成面視にて側部孔４３１ｈ全体を覆う大きさで形成され、上部が安定器カバー２２の下面の取り付け位置に取り付けられると共に、前記取り付け位置よりも斜め下外方へずれた位置に下端を有してなり、当該下端は回転羽根４１の周端よりも内側に配置されることが好ましい。
本体内の側部孔４３１ｈの上部においては、安定器カバー２２の下面に取り付けられかつ下端が斜め下方へ傾斜したガード板４７とすることで、安定器カバー２２の周囲の隙間から入ってくる雨水の、側部孔４３１ｈへの侵入を防ぐことができる。また本体内の側部孔４３１ｈの下部においては、回転羽根４１の周端よりも内側を下端としてそれよりも周囲外方に突出しないガード板４７とすることで、回転羽根４１の周囲から本体内に雨水が吹きあがったとしても、雨水がガード板４７にあたって側部孔４３１ｈに侵入することはない。また側部孔４３１ｈの下方を高速で下方へ吸引回転する回転羽根４１によって保護することで、側部孔４３１ｈの下方からの雨水の吹上げ、侵入を効率的に抑制しうる。
【０００９】
（３）上記いずれか記載の捕虫器において、安定器カバー２２は、円形板の周囲下方に向かって拡径した円錐面縁２２ｅを有する底板２２ｂの上に、天板付の円筒蓋２２ｔが被せて取り付けられたものであり、
前記円錐面縁２２ｅのさらに外周から板状の保持アーム２２ａが放射状に複数本延設され、その先端の折曲片２２ｃが本体１の内側面と当接して固定されることが好ましい。
安定器はそれ自体の重量がかさむだけでなく、安定器の下部にモーターカバー４３で覆われたモーターが取り付けられ、モーターの下部にはさらに回転軸４２及び回転羽根４１が設けられてなる吸引ユニット、並びに安定器カバー２２上部に保持する誘導光源２１を一体的に備えるユニットが本体内に取り付けられる。このような堆積及び重量がかさむ一帯のユニットを、屋外設置の過酷な環境下であっても、位置ズレや固定部の破損なきよう確実に本体内に保持固定する必要がある。円錐面縁２２ｅは底板２２の外周を折り曲げて円錐変形させることで保持アーム自体の強度を確保している。
【００１０】
（４）上記いずれか記載の捕虫器において、保持アーム２２ａは円錐面縁２２ｅの外周端から直線方向へ一体的に延伸したものであり、この延伸方向に沿って、保持アーム２２ａから円錐面縁２２ｅまでの上面又は下面を亘って凸条または凹条からなるリブが伸長形成されることが好ましい。
【００１１】
（５）上記いずれか記載の捕虫器において、円筒蓋２２ｔは、円筒部の下端に、保持アーム２２ａと同じ延伸位置及び延伸方向に延伸した複数のアームカバー４４を有してなり、各アームカバー４４が各保持アーム２２ａの上面に重なって固定されることで、円筒蓋２２ｔが底板２２ｂ上に取り付けられることが好ましい。
【発明の効果】
【００１２】
上記手段により、捕虫器を屋外に設置した場合にも、モーターや安定器が水に濡れて故障したり漏電したりする恐れがなく、また一方で、モーター自体が過熱によって故障する恐れがなく、さらに安定器を本体に安定して保持固定させることのできる捕虫器を提供することができる。
【図面の簡単な説明】
【００１３】
【図１】本発明の実施例１の捕虫器の安定器カバー２２を示す斜視説明図である。
【図２】図１に示す実施例１の安定器カバー２２の分解説明図である。
【図３】実施例１の捕虫器の一部詳細構造を省略した側面視軸断面説明図である。
【図４】実施例１の捕虫器の一部詳細構造を省略した図３のイ−イ線断面図である。
【図５】本発明の実施例２の捕虫器の安定器カバー２２を示す斜視説明図である。
【図６】図５に示す実施例２の安定器カバー２２の分解説明図である。
【図７】実施例２の捕虫器の一部詳細構造を省略した側面視軸断面説明図である。
【図８】実施例２の捕虫器の一部詳細構造を省略した図７のロ−ロ線断面図である。
【図９】本発明の実施例１の捕虫器の設置状態例を示す説明図である。
【発明を実施するための最良の形態】
【００１４】
以下、本発明の最良の形態例を本発明の実施例として示す各図と共に説明する。
図１〜図４及び図９は実施例１の、図５〜図８は実施例２の捕虫器である。本発明の捕虫器は、基本的に、従来の上方のすり鉢状滑落反射板（部分円錐体）を取り除いたものであり、少なくとも下記各構成を具備する。
・上端に吸引孔１ｈを有して内部を吸引領域とする縦型円筒状の本体１
・捕獲対象虫に対して誘引光を発する誘引光源２１を有する発光誘引手段２
・誘引光源２１（蛍光管）の側周及び上部をドーム状に取り囲んで保護する保護枠３３
・保持アーム２２ａによって本体１内部の円筒筒軸上に固定され、吸引孔１ｈ上部の吸引領域における捕獲対象虫を本体内部を通って本体下方へと吸引する吸引手段４
・吸引した捕獲対象虫を捕虫する捕獲網５
【００１５】
そして本発明の特徴として、
吸引手段は、側周に複数の保持アーム２２ａを張設して本体１内面に支持固定される柱状の安定器カバー２２と、
安定器カバー２２の下部に取り付けられると共に内部にモーターを有する、安定器カバー２２よりも小径の柱状のモーターカバー４３と、
モーターから鉛直下方へ突出した回転軸４２の先部に回転駆動可能に取り付けられた、安定器カバー２２よりも大きい最大径の回転羽根４１とが、上部から順に同軸上に一体構成される。
【００１６】
またモーターカバー４３の側面には、モーター冷却用の側部孔４３１ｈが設けられると共に、安定器カバー２２の下側かつ側部孔４３１ｈの上方位置に、傾斜板からなるガード板４７が取り付けられたことを特徴とする。この側部孔４３１ｈは、モーターの側部を常時開放してモーターの過熱を防止している。またガード板４７は、モーターカバー４３の裏面に上端が左右一対に互いに対向して固定され、各下端がそれぞれの固定位置よりも外側にずれて配置され、このガード板４７が前記モーターの過熱防止機能を確保しつつ、モーターカバー４３内への雨の進入を防ぐものとしている。
以下、実施例の具体的構成に付き詳述する。
【実施例１】
【００１７】
実施例１の捕虫器は従来の上部すり鉢状滑落反射板（部分円錐体）を取り除いたものであり、水平円環状の発光誘引手段２、安定器カバー２２、モーターカバー４３、ガード板４７、回転軸４２、及び回転羽根４１からなる誘引兼吸引ユニットを、保護網３３を上端に備えた縦型筒状の本体１の上部ないし内部に備え、また捕獲網５を、本体１の下部に備える（図３参照）。更に本体１の筒状側部には吊り下げ用のフック７１を備え、吊り下げ設置の際にはフック７１を通した吊り下げワイヤー７２を介して水平の吊り下げ棒７３等に吊り下げることができる（図９参照）。
【００１８】
（本体１）
端部吸引孔１ｈを有する本体１は、縦型筒体からなり、図９のようなフック７１、吊り下げワイヤー７２によって吊り下げ設置される。内部には発光誘引手段の少なくとも一部と吸引手段を有する。また上部には側囲板が連結固定され、下部には下部保護網及び捕獲網が取り外し可能に連結固定される。筒体は実施例１のような円筒からなるものでもよく、また四角形、五角形をはじめとする略多角形の筒外形、筒内形を有するものでも良い。また設置状態を図９のような鉛直縦方向の設置にするほか、使用状態に応じて吸引領域を斜めに向けた傾斜設置としても良い。
【００１９】
（発光誘引手段２）
発光誘引手段２は、少なくとも捕獲対象虫に対して誘引光を発する誘引光源２１を、本体又は側囲板のいずれかの内部に固定されたものとして有する。実施例では誘引光源２１たる円形の蛍光管と、この蛍光管を着脱可能に保持する保持枠２１ａと、円形蛍光管の下方に配置された、蛍光管用の円柱状の安定器２２と、安定器２２を本体上部ないし側囲板下部の高さに保持固定する安定器保持アーム２２ａとから構成される。安定器は安定器本体及びグローランプを内部収容すると共に、電源コード９が外部へ接続される。
【００２０】
（誘引光源２１）
誘引光源２１は、管部分の表面が誘引色に塗装された円形の蛍光管からなり、水平管軸として、一本が一段、或いは異径の複数本が複数段設置される。
【００２１】
（保護網３３）
保護網３３は、本体１の上端に固定され、本体１よりも上方へ向かって縮径したドーム状の枠網からなる。保護網３３が誘引光源の側部ないし上部を枠状に覆うことで外部から保護する。
【００２２】
（蛍光管保持枠２１ａ）
蛍光管保持枠２１ａは円柱状の安定器２２の上部の複数箇所からそれぞれ複数本が上方へ延出し、それぞれ先端に弯曲部分を有した板状体である。先端の弯曲部分が蛍光管に着脱可能に外嵌する。
【００２３】
（保持アーム２２ａ）
安定器を保持するための保持アーム２２ａは円柱状の安定器２２の下部から平面視放射状に等間隔に延出した略水平板であり、固定具２２ｐによって本体１又は側囲板３１の内側面へリベット固定される。保持アーム２２ａは円錐面縁２２ｅの外周端から直線方向へ一体的に延伸したものであり、この延伸方向に沿って、保持アーム２２ａから円錐面縁２２ｅまでの上面又は下面を亘って凸条または凹条からなるリブ２２ｌが伸長形成される。
実施例１では保持アーム２２ａは傾斜した円錐面縁２２ｅから折れ曲がって水平に伸張し、円錐面縁からこの保持アームに亘るこの伸張方向に沿ってリブ２２ｌが同様に折れ曲がって形成される。アームカバー４４にも前記リブに重なるリブ４４ｌが形成され、上からボルトｂで固定される。
【００２４】
（安定器カバー２２）
安定器カバー２２は、円形板の周囲下方に向かって拡径した円錐面縁２２ｅを有する底板２２ｂの上に、天板付の円筒蓋２２ｔが被せて取り付けられたものであり、
底板２２ｂの円錐面縁２２ｅから板状の保持アーム２２ａが放射状に複数本延設され、その先端の折曲片２２ｃが本体１の内面と当接して固定される。
【００２５】
（円筒蓋２２ｔ）
円筒蓋２２ｔは、円筒部の下端に、保持アーム２２ａと同じ延伸位置及び延伸方向に延伸した複数のアームカバー４４を有してなり、各アームカバー４４が各保持アーム２２ａの上面に重なって固定されることで、円筒蓋２２ｔが底板２２ｂ上に取り付けられる。
【００２６】
（ガード板４７）
ガード板４７は、側部孔４３１ｈと離間して側部孔４３１ｈの形成面視にて側部孔４３１ｈ全体を覆う大きさで形成され、上部が安定器カバー２２の下面の取り付け位置に取り付けられると共に、前記取り付け位置よりも斜め下外方へずれた位置に下端を有してなり、当該下端は回転羽根４１の周端よりも内側に配置される。
【００２７】
（吸引手段４）
吸引手段４は、安定器ボックスの下部に接して吊設固定されたモーターと、本体の中央軸に沿って伸びるモーターの回転軸４２と、回転軸４２に固定された回転羽根４１とによって構成される。モーター電源は上部の安定器カバー２２内から供給され、安定器カバー２２内へは外部接続された電源コードから電源供給される（図示せず）。
【００２８】
回転羽根４１の下端は本体の下端よりも高い位置に固定され、回転羽根が本体よりも下方へ突出しないようになっている。また回転羽根の下方であって本体の下端付近には本体内部を下方から覆うようにして捕獲網５が備えられる。
【００２９】
（捕獲網５）
捕獲網５は、捕集用の外網を構成する外網袋５１と、その内側に固定されて返し内網を構成する内網筒５２と、これらの上端の内外にそれぞれ設けられた着脱構造５３とから構成される。
【００３０】
外網袋５１は捕獲対象虫を捕虫しうる小網目の方形網袋である。具体的には、２枚の矩形網板の三方同士を縫合固定して、上端口部が本体１を覆囲する大きさに形成された角型の袋からなり、複数個たる２つの下角部分と２つの下角部分で結ばれた下辺部分とを有する。この下角部分側或いは下辺部分は、編み板同士で比較的小さな狭角を形成するため、捕虫が集まりやすいものとなっている。これら下角部分側或いは下辺部分によって捕虫による大きな目詰まりの発生を抑止している。また外網袋５１の少なくとも表面が、捕獲対象虫に対して誘引作用も忌避作用も有さない中間色に塗布されている。下方へ向かって内傾斜した外網袋を通して吸引風が本体１下方から外部へ拡散排出される。
【００３１】
内網筒５２は捕獲対象虫が通過しうる中網目の部分円錐状の網筒であり、外網袋５１内に下方傾斜の返し面を形成することで、一旦捕獲された捕獲対象虫が上部へ上がって本体内へ逃げないようにするものである。具体的には、上端口部が本体１を覆囲する大きさでかつ外網袋５１の上端口部の内側に沿う大きさに形成されると共に、下端に向かって小径となると共に、下端に筒孔を有する。筒孔の径は上端口部の径の三分の一ないし二分の一であり、吸引手段による吸引空気が排出される際に、最も風量の大きい中心部分となっている。下方へ向かって内傾斜した内網筒５２を通して吸引風の中心を除く周部が、本体１下方から外部放射方向へ拡散排出される。
【００３２】
捕獲網５は着脱構造として、面ファスナーのほか、基材に固定形成された接着層の接着面と被着面とからなる接着構造、掛止構造と被掛止構造とからなる掛止構造、係着具を介して互いに係着される一対の係着構造からなるラインファスナー構造等、任意の着脱機構を有して本体１株に取り外し可能に備えられる。
【００３３】
（使用方法）
実施例１の捕虫器は、本体上部に取り付けた誘引光源２１によって虫を誘引し、誘引した虫を本体１内部の回転羽根４１の回転によって吸い込んで、本体１下方から外部へ吸引空気を排出し、本体下部に取り付けた捕獲網５の外網袋５１内に捕集する。外網袋５１及び逃避防止用としてその内側に取り付けられる円錐型の内網筒５２は、着脱構造５３によって本体１から取り外して、捕獲した虫の除去や洗浄を行なうことができる。
【実施例２】
【００３４】
図６〜図８に示す実施例２の捕虫器は、実施例１の保持アームと異なる斜め下方に放射延伸した保持アーム２２ａを有する。実施例２の保持アーム２２ａは底板２２ｂの周囲に下方へ拡径形成された円錐面縁２２ｅと同一の傾斜面内で周囲に延伸形成され、平面視にて放射状に等間隔に三本形成される。その先端は下方に折り曲げられ鉛直面を有する折り曲げ片２２ｃとなり、この折り曲げ片２２ｃが円筒の本体１内部に固定される。
またガード板４７は上端が水平に折り曲げ形成されて下部が斜め下下方に傾斜した傾斜平面板からなる。その他の主な構成は実施例１と同様である。
【符号の説明】
【００３５】
１      本体
２１    誘引光源
２２    安定器カバー
２２ａ  保持アーム
２２ｔ  円筒蓋
２２ｂ  底板
２２ｅ  円錐面縁
２２ｌ  リブ
２２ｔ  円筒蓋
２２ａ  保持アーム
４      吸引手段
４１    回転羽根
４２    回転軸
４      モーターカバー
４３１ｈ  側部孔
４３２ｈ  コーナー孔
４３３ｈ  底部孔
４４    アームカバー
４４ｂ  安定器底板
４７    ガード板
４３１ｈ  側部孔
４１    回転羽根
４４    アームカバー
４７    ガード板
５      捕獲網
５１    外網袋
５２    内網筒
７１    フック
７２    吊り下げ紐
【図１】
2012010653.tif 000003
【図２】
2012010653.tif 000004
【図３】
2012010653.tif 000005
【図４】
2012010653.tif 000006
【図５】
2012010653.tif 000007
【図６】
2012010653.tif 000008
【図７】
2012010653.tif 000009
【図８】
2012010653.tif 000010
【図９】
2012010653.tif 000011